(57)【特許請求の範囲】
【請求項１】
床面に設置され、複数箇所でキャスターに支持される機器の移動を制限する機器移動阻止器具本体がゴム素材からなる機器移動阻止器具であって、
前記機器移動阻止器具本体は、前記床面に接地し、前記キャスターの1つを包囲する環状周壁と、前記環状周壁の内側全面に延在し、前記床面に接するシート部と、一方の前記環状周壁を含み、対向する前記環状周壁近傍までの前記シート部が割かれて延在し、前記環状周壁を開閉可能とした切り込みと、前記環状周壁の前記切り込みを跨いで設けられ、前記環状周壁の開閉を制御する連結手段とを備えたことを特徴とする機器移動阻止器具。
【請求項２】
請求項1記載の機器移動阻止器具において、
前記機器移動阻止器具本体は、前記環状周壁に複数の突部が形成された外縁を備えていることを特徴とする機器移動阻止器具。
【請求項３】
請求項２記載の機器移動阻止器具において、
前記外縁は、円弧状で連なる6弁の花模様を呈していることを特徴とする機器移動阻止器具。
【請求項４】
請求項２または3に記載の機器移動阻止器具において、
前記外縁は、外方に向かって薄肉になっていることを特徴とする機器移動阻止器具。
【請求項５】
請求項1から４のいずれか一項記載の機器移動阻止器具において、
前記連結手段は、前記環状周壁に前記切り込みを跨いでI形溝が形成され、前記I形溝に嵌合するI形連結片が差し込まれて構成されていることを特徴とする機器移動阻止器具。
【請求項６】
請求項1から5のいずれか一項記載の機器移動阻止器具において、
前記シート部は、前記環状周壁の内側近傍周縁部分の裏側に小突起が設けられていることを特徴とする機器移動阻止器具。
【請求項７】
請求項1から６のいずれか一項記載の機器移動阻止器具を有する機器において、
複数個の前記キャスターのうちいずれか1個の前記キャスターに前記機器移動阻止器具を有していることを特徴とする機器。 
【発明の詳細な説明】
【技術分野】
【０００１】
床面に設置され、複数箇所でキャスターに支持される機器が地震などの衝撃により暴走して移動するのを阻止する機器移動阻止器具及びこの器具を有する機器に関するものである。 
【背景技術】
【０００２】
従来のキャスター付き機器にあっては、機器を設置した後、キャスターに付いたストッパーで車輪を固定し、簡単に移動しないようにされていた。しかし、地震のような大きな力が作用したときには、車輪が固定されたまま機器が暴走することがあった。そこで、下記文献のような提案がなされている。
この文献によれば、内周縁部に車輪の乗り上げ部を有した囲い部が開閉可能に2分割された移動制限具が示されており、地震などが発生した折には車輪が乗り上げ部に乗り、囲い部の移動を阻止し、結果として機器の移動を阻止している。
【０００３】
しかしながら、この移動制限具は剛性のある材料で作られており、ヒンジ部や連結部の部品点数が多く複雑でもあるため、破損したり、組み付けがたいへんであったり、高価であるという問題があった。また、地震のような大きな力が作用したときには、乗り上げ部に乗るまでは、車輪が床面に置かれているだけであり、勢いよく機器が移動して乗り上げ部に乗り、内周縁部にぶつかり機器がいくらか倒れやすくなることが考えられる。
【先行技術文献】
【特許文献】
【０００４】
【特許文献１】特開２０１４−２３８９２号公報
【発明の概要】
【発明が解決しようとする課題】
【０００５】
そこで、弾性体であるゴム素材を用い一体成形出来るようにして、破損せず、組み付けの必要がなく、設置も簡単で廉価であり、初期にもエネルギーを吸収できる機器移動阻止器具及びこの器具を有する機器を提供することを目的としている。 
【課題を解決するための手段】
【０００６】
本発明の機器移動阻止器具は、床面に設置され、複数箇所でキャスターに支持される機器の移動を制限する機器移動阻止器具本体がゴム素材からなるものであって、
機器移動阻止器具本体は、床面に接地し、キャスターの1つを包囲する環状周壁と、環状周壁の内側全面に延在し、床面に接するシート部と、一方の環状周壁を含み、対向する環状周壁近傍までのシート部が割かれて延在し、環状周壁を開閉可能とした切り込みと、前記環状周壁に前記切り込みを跨いで設けられ、前記開閉を制御する連結手段とを備えたことを特徴としている。 
【０００７】
また、機器は、複数個のキャスターのうちいずれか1個のキャスターに機器移動阻止器具を有していることを特徴としている。 
【発明の効果】
【０００８】
本発明によれば、破損せず、複雑な組み付けがなく、設置も簡単で廉価で、さらに環状周壁に衝突するまでの初期のエネルギーを吸収できる機器移動阻止器具を提供することが出来る。
【０００９】
また、転倒防止機能に優れた機器を提供することが出来る。
【図面の簡単な説明】
【００１０】
【図１】本発明の機器移動阻止器具の平面図である。
【図２】図1のII-II線の断面図である。
【図３】図1のIII-III線の断面図である。
【図４】I形連結片の斜視図である。
【図５】本発明の機器移動阻止器具の裏面図である。
【図６】キャスターに取り付けた本発明の機器移動阻止器具の斜視図である。
【図７】キャスターに取り付けた本発明の機器移動阻止器具の一部を破断した正面図である。
【図８】機器のキャスターに装着した機器移動阻止器具の作動概要図である。
【発明を実施するための形態】
【実施例】
【００１１】
以下本発明を良好な実施例を示す図面に基づいて説明する。
【００１２】
図1ないし図３及び図５ないし図８には、本発明に関する機器移動阻止器具１０が示されている。機器移動阻止器具１０は、開閉を制御する連結手段１１ｂ、１６を構成するI形連結片１６を有した機器移動阻止器具本体１０aから構成されている。機器移動阻止器具本体１０aが弾性体であるゴム素材からなっており、床面２０に設置され、複数箇所でキャスター３１に支持される機器３０の移動を制限する。 
【００１３】
ここに、機器３０とは、複合機などのような事務機器の他、工場作業機器、医療機器等が挙げられる。
また、ゴム素材は床面２０側に自社開発のCR（クロロプレンゴム）材を配置し、上方側には超衝撃吸収ゴム素材を配置する２層構造としている。この超衝撃吸収ゴム素材は床材への移行性が懸念されるため、移行性がないCR材を床面２０側に配置している。超衝撃吸収ゴム素材の反発弾性率は８％で、NR（天然ゴム）の７０％、CRの５０％に比べ格段に低い値である。
【００１４】
機器移動阻止器具１０は、環状周壁11とシート部１２と切り込み１３と連結手段１１ｂ、１６とを有している。
環状周壁１１は床面２０に接地し、キャスター３１の1つを包囲するほぼ断面矩形状の壁が環状に形成されている。環状周壁１１は複数の突部１１aが形成された外縁を備えている。この実施例の外縁は、図１，図５，図６に示すように円弧状の突部１１aで連なる6弁の花模様を呈している。突部１１aは、円弧状に限定されるものではなく三角形状でも良い。
また、外縁は、図２，図３，図６に示すように各突部１１aの先端が外方に向かって傾斜し、薄肉になって、いくらか撓みやすくなっている。
シート部１２は環状周壁１１の内側全面に延在し、床面２０に接する薄膜からなるゴム素材、ここでは床材への移行性が少ないCR材からなっている。シート部１２は伸縮自在で、使用前には図1ないし図3，図5に示すように平らになっているが、機器30に使用時には図6，図7のようにキャスター３１の車輪３１aの床面２０から少し上がった位置に張り付くか、床面２０の位置で車輪３１aを両側から挟むように取り付いている。
更に、機器移動阻止器具本体１０aはゴム素材で出来ており、それ自体にある程度床面２０との間に摩擦抵抗を有しているが、より確実に移動を阻止するために次の策を考えている。図５に示すように機器移動阻止器具本体１０aの裏面には、環状周壁１１の部分とシート部１２の環状周壁１１の内側近傍周縁部分１２aとに小突起１５が多数設けられて床面２０との摩擦力を確保している。環状周壁１１の内側近傍周縁部分１２aの裏側に小突起１５が設けられていることにより、シート部１２が内周壁面１１ｃまで捲れていくことを制限している。この小突起１５及びその配置などは、生物の機能を模倣するバイオミミクリーの思想で作られている。床面２０がフローリングのような堅いところではシート部１２が床面２０から小突起１５の分だけ浮き上がるようになっており、絨毯、フロアマットのようなときにはそこに突き刺さり床面２０に張り着くようなっている。 
【００１５】
切り込み１３は、一方の環状周壁１１を含み、対向する環状周壁１１近傍までのシート部１２を割いている。この切り込み１３が入っていない側の環状周壁１１を支点として機器移動阻止器具本体１０aを開閉可能としている。シート部１２の環状周壁１１の内側近傍周縁部１２aより内側で切り込み１３の端末には割け止め孔１３aが設けられ、開閉動作が何回されてもそこから更に裂けていくことを防止している。
連結手段１１ｂ、１６は、環状周壁１１の上面に形成されたI形溝１１ｂとI形溝１１ｂに嵌合するI形連結片１６とから構成されている。I形連結片１６は、切り込み１３が開かないようにするため、平面視I型をしており、押し出し成形、射出成形などにより剛性のある樹脂材料で作られている。I形溝１１ｂは環状周壁１１上の切り込み１３を跨いでI形連結片１６を受け入れるように形成されている。このI形連結片１６をI形溝１１ｂに抜き差しして開閉を制御している。
I形連結片１６は、剛性のある樹脂材料として説明したが、これに限らず、木製、金属製であっても良い。また、形状も両端が円形のダンベル状でも、両端を連結する部分が直線状でなくとも開きを防止するものであれば良い。
機器移動阻止器具１０が用いられる機器３０には、複数個のキャスター３１のうちいずれか1個のキャスター３１にのみ機器移動阻止器具１０が用いられている。
【００１６】
以下、機器３０のキャスター３１に機器移動阻止器具１０を装着した際の機器３０の移動阻止について説明する。
【００１７】
まず、機器３０を床面２０に設置する。機器移動阻止器具１０からI形連結片１６を抜き取り開閉自在とする。機器移動阻止器具１０の切り込み１３が開かれた状態で、複数個あるキャスター３１の内の１個の車輪３１aの両側面に当たるように差し込む。閉じることにより、シート部１２の切り込み１３側が図６，図７のように車輪３１aの下側を包み込むように被さるか、車輪３１aの床面２０に設置されているところにまくれて車輪３１aを押さえている。この状態で、合わさって出来るI形溝１１ｂにI形連結片１６を差し込み上述の状態を維持する。
【００１８】
この状態でキャスター３１の向きは固定され、いずれかに設けられているキャスター３１自身のストッパーと相まって小さな力では、機器３０は移動しない。
大地震のように大きな力が機器３０に作用したときには、切り込み１３位置のシート部１２が車輪３１aから外れ床面２０に接すると同時に、車輪３１aはシート部１２に乗り上げ、いくらかエネルギーが吸収される。より詳しくは、ある程度までは環状周壁１１は床面２０との間の摩擦で固定されるが、車輪３１aは固定のままあるいは少し回って移動し、シート部１２を押し縮め、さらには乗り越えてシート部１２上を初期エネルギーを吸収しながら移動する。機器移動阻止器具１０は少しは力を弱めながら移動していく。
さらに、車輪３１aはシート部１２に乗り上げた状態で環状周壁１１の内周壁面１１ｃに衝突する。この衝撃をゴム素材である機器移動阻止器具１０がエネルギーを吸収しつつ受け止める。そして更なる移動する力に対して機器移動阻止器具１０を床面２０にしっかり押しつけ移動を阻止する。
なお、シート部１２には、小突起１５が裏面に設けられた内周近傍周縁部１２aが形成されており、車輪３１aがシート部１２に乗り上げず捲れさせながら移動してきてもこの周縁でのシート部１２の捲れを防止してしっかりと乗り上げ環状周壁１１に衝突する。
ここに機器移動阻止器具１０は、外周に複数個の突部１１aを有しているために、１つの突部１１aに力が作用しても直ぐにいくらか回って隣接する突部１１aと２箇所で床面２０と接し安定して支持する。ようするに、単なる円形外周であれば１点での支持になり力が集中するが２点で安定して支持することが出来る。また、この突部１１aは先端に行くにしたがいいくらか薄肉になっており、先端が撓んでくれ、点での支持でなく面での支持をするのでしっかり安定して支持することが可能である。
【００１９】
また、機器30は、機器移動阻止器具１０が一箇所のキャスター３１を有していることから、大きな力を受けてもこの一箇所は固定され、他のキャスター３１はフリーなので機器３０自体が固定されているところを支点として回るように振れて力を削ぐことが出来、暴走することも転倒することもない。
【００２０】
この様なことが工夫されて、機器移動阻止器具は２点からなる構造簡単で安価に出来ると共に、ゴム素材で衝撃を吸収すると共に器具自体が破損することもない。兵庫県南部地震、新潟県中越地震などのレベルの大きな地震に対しても機器３０の暴走や転倒を防ぐことができる。
【符号の説明】
【００２１】
１０：機器移動阻止器具
１０a：機器移動阻止器具本体
１１：道環状周壁
１１a：突部
１１ｂ：I形溝
１１ｃ：内周壁面
１２：シート部
１２a:内側近傍周縁部
１３：切り込み
１３a:割け止め孔
１５:小突起
１６：I形連結片
２０：床面
３０：機器
３１：キャスター
３１a：車輪
【要約】 
【課題】  簡単な構造で安価な機器移動阻止器具を提供すると共に、地震などの大きな力に対し、力を逃しながらしっかりと移動を阻止し、転倒を阻止する機器移動阻止器具を提供する。
【解決手段】機器移動阻止器具１０はゴム素材からなり、キャスター３０を包囲する環状周壁１１と、環状周壁１１の内側全面に延在するシート部１２と、シート部１２を割いて開閉可能とした切り込み１３と、環状周壁１１の切り込み１３を跨いで開閉を制御する連結手段１１ｂ、１６とを備えている。
【選択図】  図１【図１】
0005870415.tif 000002
【図２】
0005870415.tif 000003
【図３】
0005870415.tif 000004
【図４】
0005870415.tif 000005
【図５】
0005870415.tif 000006
【図６】
0005870415.tif 000007
【図７】
0005870415.tif 000008
【図８】
0005870415.tif 000009